(57)【要約】      （修正有）【課題】ケースの高さに相当する空間だけをノイズフィルタ実装用に確保すれば、電源コードのアウトレットを水平方向に接続することができるノイズフィルタを提供する。【解決手段】ケース４２内にフィルタ回路を構成する電子部品を収納して成る。ケース４２は、下端に開口を有する本体部４４と、本体部４４の下端開口を閉塞するベース部４６を備えており、本体部４４は外面が平坦面と成された上壁４８と、上壁４８の端辺から垂下する側壁５０ａ，５０ｂ，５０ｃ，５０ｄを有し、また、ベース部４６は外面が平坦面と成されると共に、上壁４８と対向配置されており、さらに、本体部４４の上壁４８に入力端子６６及びアース端子６７を内部に備えたインレットソケット６４を接続し、インレットソケット６４及び入力端子６６を、本体部４４の上壁４８の外面と直交方向に配置した。【選択図】図７
0003161358.tif 000002
【実用新案登録請求の範囲】
【請求項１】
ケース内にフィルタ回路を構成する電子部品を収納して成るノイズフィルタであって、上記ケースは、下端に開口を有する本体部と、該本体部の下端開口を閉塞するベース部を備えており、上記本体部は外面が平坦面と成された上壁と、該上壁の端辺から垂下する側壁を有し、上記本体部の上壁に端子を内部に備えたインレットソケットを接続すると共に、上記インレットソケット及びインレットソケット内の端子を、上記本体部の上壁の外面と直交方向に配置したことを特徴とするノイズフィルタ。
【考案の詳細な説明】
【技術分野】
【０００１】
この考案はノイズフィルタに係り、特に、ケース内にフィルタ回路を構成するコイルやコンデンサ等の電子部品を収納すると共に、上記ケースにインレットソケットを接続して成るノイズフィルタに関する。
【背景技術】
【０００２】
ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
ケース内にフィルタ回路を構成するコイルやコンデンサ等の電子部品を収納すると共に、上記ケースにインレットソケットを接続して成るノイズフィルタとしては、例えば本出願人が提案した実用新案登録第３１２９６１２号がある。
図１１〜図１８に示すように、このノイズフィルタ10は、導電性ケース12内に、コイルやコンデンサ等のフィルタ回路を構成する各種電子部品（図示省略）を収納して成る。
【０００４】
上記ケース12は、平坦面と成された略長方形状の底壁部14、該底壁部14と対向する略長方形状の上壁部16、上記底壁部14と上壁部16間に設けられ、底壁部14から立設する第１の側壁部18ａ、第２の側壁部18ｂ、第３の側壁部18ｃ、第４の側壁部18ｄを有している。第１の側壁部18ａと第２の側壁部18ｂ、第３の側壁部18ｃと第４の側壁部18ｄは、それぞれ対向配置されており。また、第１の側壁部18ａ、第２の側壁部18ｂと第３の側壁部18ｃ、第４の側壁部18ｄとは、直交方向に配置されている。
【０００５】
ケース12の第１の側壁部18ａには、ケース12内方へ向かって４５度で傾斜する傾斜面20が形成され、該傾斜面20にはインレットソケット22が接続されており、該インレットソケット22内には、一対の入力端子24とアース端子26が設けられている。
上記インレットソケット22及びインレットソケット22内の入力端子24、アース端子26は、図１７に示すように、第１の側壁部18ａの傾斜面20と直交方向に配置されている。
【０００６】
また、ケース12の第２の側壁部18ｂには、ケース12内方へ向かって所定角度で傾斜する傾斜面28が形成され、該傾斜面28にはファストン端子で構成された一対の出力端子30とアース端子32が、それぞれ所定の間隔を設けて接続固定されている。
ケース12の底壁部14には、略山形の一対のフランジ部34が設けられ、該フランジ部34にはノイズフィルタ固定用の穴36が形成されている。
【０００７】
上記インレットソケット22内の入力端子24と、ファストン端子より成る出力端子30は、ケース12内において、各種電子部品で構成されたフィルタ回路38と所定の電気的接続が実現されている。
【０００８】
図１９は、上記ノイズフィルタ10を電子機器としての薄型テレビ76に組み込んで使用する場合を模式的に示したものである。図１９において、78はガラスパネル、80は各種の電子部品が実装された回路基板、82はスピーカーである。
ノイズフィルタ10は、平坦面と成された底壁部14が、ガラスパネル78と平行となる鉛直方向に沿って薄型テレビ76内の基板83上へ載置固定されると共に、第１の側壁部18ａのインレットソケット22が、薄型テレビ76の背面85から外部に露出するようにして実装されている。
ノイズフィルタ10の露出したインレットソケット22には、電源コード86のアウトレット88が接続され、ノイズフィルタ10でノイズが除去された後、電源が薄型テレビ76に供給されるようになっている。
【０００９】
上記ノイズフィルタ10は、ケース12が平坦面と成された底壁部14と、該底壁部14から立設する第１の側壁部18ａを備えており、該第１の側壁部18ａに、ケース12内方へ向かって４５度で傾斜する傾斜面20を形成すると共に、該傾斜面20に、入力端子24及びアース端子26を内部に備えたインレットソケット22を接続して成り、インレットソケット22及びインレットソケット22内の入力端子24、アース端子26を上記傾斜面20と直交方向に配置している。
【００１０】
このため、インレットソケット22を下側にしてノイズフィルタ10の底壁部14を鉛直方向に沿って配置すると、インレットソケット22及びインレットソケット22内の入力端子24、アース端子26が、水平方向に対して斜め（４５度）の角度で配置される。
従って、図１９に示すように、電源コード86のアウトレット88を斜め（４５度）の角度でインレットソケット22と接続することができ、電源コード86の自重によりアウトレット88が抜け落ちてしまうことを防止できる。
また、ケース12の第３の側壁部18ｃの高さｄに相当する空間だけをノイズフィルタ実装用に確保すれば、電源コード86のアウトレット88を斜め（４５度）の角度でインレットソケット22と接続することができ、薄型テレビ76の厚さを小さくすることに寄与するものである。
【特許文献１】実用新案登録第３１２９６１２号公報
【考案の開示】
【考案が解決しようとする課題】
【００１１】
上記ノイズフィルタ10は、電源コード86の自重によるアウトレット88の抜け防止のために、ケース12の第１の側壁部18ａに、ケース12内方へ向かって４５度で傾斜する傾斜面20を形成すると共に、該傾斜面20にインレットソケット22を接続し、インレットソケット22及びインレットソケット22内の端子24，26を上記傾斜面20と直交方向に配置して構成することにより、電源コード86のアウトレット88を斜め（４５度）の角度でインレットソケット22と接続することができるようにしたものである（図１９）。
【００１２】
しかしながら、電源コード86のアウトレット88を斜め（４５度）の角度でインレットソケット22と接続した場合にあっては、垂直（水平方向に対して９０度）の角度で接続する場合に比べれば電源コード86の自重の影響を軽減できるものの、水平方向で接続する場合に比べると自重の影響を受けてしまい、アウトレット88が抜け落ちる虞があった。
【００１３】
本考案は、従来の上記問題点に鑑みて案出されたものであり、その目的とするところは、ケースの高さに相当する空間だけをノイズフィルタ実装用に確保すれば、電源コードのアウトレットを水平方向に接続することができるノイズフィルタを実現することにある。
【課題を解決するための手段】
【００１４】
上記の目的を達成するために、本考案に係るノイズフィルタは、
ケース内にフィルタ回路を構成する電子部品を収納して成るノイズフィルタであって、上記ケースは、下端に開口を有する本体部と、該本体部の下端開口を閉塞するベース部を備えており、上記本体部は外面が平坦面と成された上壁と、該上壁の端辺から垂下する側壁を有し、上記本体部の上壁に端子を内部に備えたインレットソケットを接続すると共に、上記インレットソケット及びインレットソケット内の端子を、上記本体部の上壁の外面と直交方向に配置したことを特徴とする。
【考案の効果】
【００１５】
本考案のノイズフィルタは、ケースが、下端に開口を有する本体部と、該本体部の下端開口を閉塞するベース部を備えており、上記本体部は外面が平坦面と成された上壁と、該上壁の端辺から垂下する側壁を有し、上記本体部の上壁に端子を内部に備えたインレットソケットを接続すると共に、上記インレットソケット及びインレットソケット内の端子を、上記本体部の上壁の外面と直交方向に配置している。
このため、ノイズフィルタの本体部の上壁の外面を鉛直方向に沿って配置すると、本体部の上壁に接続されたインレットソケット及びインレットソケット内の端子が水平方向に配置されることとなる。従って、ケースの高さに相当する空間をノイズフィルタ実装用に確保すれば、電源コードのアウトレットを水平方向に接続することができる。
【考案を実施するための最良の形態】
【００１６】
以下において、本考案に係るノイズフィルタを添付図面に基づいて説明する。
図１は本考案に係るノイズフィルタ40を示す正面図、図２は背面図、図３は平面図、図４は底面図、図５は右側面図、図６は左側面図、図７は斜視図、図８は、図１のＡ−Ａ概略断面図である。
【００１７】
本考案に係るノイズフィルタ40は、略直方体形状の導電性のケース42内に、後述するフィルタ回路を構成する各種電子部品（図示省略）を収納して成る。
上記ケース42は、下端に開口を有する略直方体形状の本体部44と、該本体部44の下端開口を閉塞する薄板状のベース部46を有している。
【００１８】
上記ケース42の本体部44は、外面が平坦面と成された略長方形状の上壁48、該上壁48の４端辺から垂直に垂下する第１の側壁50ａ、第２の側壁50ｂ、第３の側壁50ｃ、第４の側壁50ｄを有している。第１の側壁50ａと第２の側壁50ｂ、第３の側壁50ｃと第４の側壁50ｄは、それぞれ対向配置されている。また、第１の側壁50ａ、第２の側壁50ｂと第３の側壁50ｃ、第４の側壁50ｄとは、直交方向に配置されている。
【００１９】
上記ケース42の第１の側壁50ａからは一対の出力コード端子54とアースコード端子55の一端が導出されている。また、出力コード端子54とアースコード端子55の他端は、ケース42内においてフィルタ回路56と所定の電気的接続が実現されている（図８）。
尚、上記一対の出力コード端子54の先端はコネクタ58に接続されており、該コネクタ58を介して、上記出力コード端子54と他の電子部品の外部端子（図示せず）との電気的接続が行われるようになっている。
【００２０】
上記ケース本体部44の上壁48には、インレットソケット64が接続されており、該インレットソケット64内には、一対の入力端子66とアース端子67が設けられている
上記インレットソケット64及びインレットソケット64内の入力端子66とアース端子67は、図８に示すように、本体部44の上壁48の外面と直交方向に配置されている。
上記インレットソケット64内の入力端子66とアース端子67は、ケース42内において、フィルタ回路56と所定の電気的接続が実現されている。
【００２１】
上記ケース12のベース部46は、外面が平坦面の略長方形状と成されており、本体部44の下端開口を閉塞している。この結果、ケース42のベース部46と、本体部44の上壁48とが、上記側壁50ａ，50ｂ，50ｃ，50ｄの高さ分の距離を空けて対向配置されることとなる。
【００２２】
上記フィルタ回路56は、例えば、図９に示すように、第１のＸコンデンサC1、第２のＸコンデンサC2、第１のＹコンデンサC3、第２のＹコンデンサC4、コモンモードチョークコイルＬ及び抵抗器Ｒで構成されている。
【００２３】
そして、コモンモードチョークコイルＬを構成する一方の巻線が、一方の入力端子66と一方の出力コード端子54間に、また、コモンモードチョークコイルＬを構成する他方の巻線が、他方の入力端子66と他方の出力コード端子54間に接続される。
また、抵抗器Ｒと第１のＸコンデンサC1が、一対の入力端子66，66間に接続され、さらに、第２のＸコンデンサC2は、一対の出力コード端子54，54間に接続される。
さらに、第１のＹコンデンサC3は、一方の出力コード端子54とアースコード端子55間に接続され、第２のＹコンデンサC4は、他方の出力コード端子54とアースコード端子55間に接続される。
尚、図９に示す回路構成は一例を示したものに過ぎず、これに限定されるものではない。
【００２４】
図１０は、本考案のノイズフィルタ40を電子機器としての薄型テレビ68に組み込んで使用する場合を模式的に示したものである。図１０において、69はガラスパネル、70は各種の電子部品が内蔵された電子回路部、71はスピーカー、72は電子回路部が実装される基板である。
ノイズフィルタ40は、外面が平坦面と成されたベース部46が、ガラスパネル69と平行となる鉛直方向に沿って薄型テレビ68の基板72上へ載置固定されると共に、上記ベース部46と対向する本体部44の上壁48に接続されたインレットソケット64が、薄型テレビ68の背面板73に形成した孔部73ａから外部に露出するようにして実装されている。尚、上記ベース部46の外面を鉛直方向に沿って基板72上へ載置固定すると、ベース部46と対向する本体部44の上壁48の外面も鉛直方向に沿って配置されることとなる。
ノイズフィルタ40の露出したインレットソケット64には、電源コード74のアウトレット75が接続され、ノイズフィルタ40でノイズが除去された後、電源が薄型テレビ68に供給されるようになっている。
【００２５】
本考案のノイズフィルタ40は、ケース42が、下端に開口を有する本体部44と、該本体部44の下端開口を閉塞するベース部46を備え、上記本体部44は外面が平坦面と成された上壁48と、該上壁48の端辺から垂下する側壁50ａ，50ｂ，50ｃ，50ｄを有し、上記本体部44の上壁48に入力端子66及びアース端子67を内部に備えたインレットソケット64を接続すると共に、インレットソケット64及びインレットソケット64内の入力端子66及びアース端子67を、本体部44の上壁48の外面と直交方向に配置している。
このため、ノイズフィルタ40の本体部44の上壁48の外面を鉛直方向に沿って配置すると、ケース本体部44の上壁48に接続されたインレットソケット64及びインレットソケット64内の入力端子66とアース端子67が水平方向に配置されることとなる（図１０参照）。従って、ケース42の高さ（ベース部46から本体部44の上壁48迄の距離）ｄに相当する空間をノイズフィルタ40実装用に確保すれば、電源コード74のアウトレット75を水平方向に接続することができる。
【図面の簡単な説明】
【００２６】
【図１】本考案に係るノイズフィルタの正面図である。
【図２】本考案に係るノイズフィルタの背面図である。
【図３】本考案に係るノイズフィルタの平面図である。
【図４】本考案に係るノイズフィルタの底面図である。
【図５】本考案に係るノイズフィルタの右側面図である。
【図６】本考案に係るノイズフィルタの左側面図である。
【図７】本考案に係るノイズフィルタの斜視図である。
【図８】図１のＡ−Ａ概略断面図である。
【図９】本考案に係るノイズフィルタのフィルタ回路を示す回路図である。
【図１０】本考案に係るノイズフィルタを、薄型テレビに組み込んで使用する場合を模式的に示す説明図である。
【図１１】従来のノイズフィルタの正面図である。
【図１２】従来のノイズフィルタの背面図である。
【図１３】従来のノイズフィルタの平面図である。
【図１４】従来のノイズフィルタの底面図である。
【図１５】従来のノイズフィルタの右側面図である。
【図１６】従来のノイズフィルタの左側面図である。
【図１７】図１３のＡ−Ａ概略断面図である。
【図１８】従来のノイズフィルタの斜視図である。
【図１９】従来のノイズフィルタを、薄型テレビに組み込んで使用する場合を模式的に示す説明図である。
【符号の説明】
【００２７】
40    ノイズフィルタ
42    ケース
44    ケースの本体部
46    ケースのベース部
48    ケース本体部の上壁
50ａ  ケース本体部の第１の側壁
50ｂ  ケース本体部の第２の側壁
50ｃ  ケース本体部の第３の側壁
50ｄ  ケース本体部の第４の側壁
54    出力コード端子
55    アースコード端子
56    フィルタ回路
58    コネクタ
64    インレットソケット
66    インレットソケットの入力端子
67    インレットソケットのアース端子
68    薄型テレビ
69    ガラスパネル
70    電子回路部
71    スピーカー
72    基板
73    背面板
73ａ  背面板の孔部
74    電源コード
75    電源コードのアウトレット
Ｌ    コモンモードチョークコイル
C1    第１のＸコンデンサ
C2    第２のＸコンデンサ
C3    第１のＹコンデンサ
C4    第２のＹコンデンサ
Ｒ    抵抗器
ｄ    ケースの高さ
【図１】
0003161358.tif 000003
【図２】
0003161358.tif 000004
【図３】
0003161358.tif 000005
【図４】
0003161358.tif 000006
【図５】
0003161358.tif 000007
【図６】
0003161358.tif 000008
【図７】
0003161358.tif 000009
【図８】
0003161358.tif 000010
【図９】
0003161358.tif 000011
【図１０】
0003161358.tif 000012
【図１１】
0003161358.tif 000013
【図１２】
0003161358.tif 000014
【図１３】
0003161358.tif 000015
【図１４】
0003161358.tif 000016
【図１５】
0003161358.tif 000017
【図１６】
0003161358.tif 000018
【図１７】
0003161358.tif 000019
【図１８】
0003161358.tif 000020
【図１９】
0003161358.tif 000021